(57)【要約】【課題】画像読取装置を備えた画像処理装置を子供や車椅子に乗った人等のような高い所に手の届かないユーザにとっても使いやすくする。【解決手段】画像処理装置１０１は、第１原稿搬送経路２２０と第２原稿搬送経路２２１とを有し、ユーザにより設定された給紙部に合わせて、これらの原稿の搬送経路を選択的に利用する。画像処理装置１０１は、原稿の給紙部として画像読取給紙部２０２が設定された場合は、第１原稿搬送経路２２０を利用し、画像形成給紙部２１０が設定された場合は、第２原稿搬送経路２２１を利用する。【選択図】図２
2007336420.tif 000002
【特許請求の範囲】
【請求項１】
原稿の画像を読取る画像読取手段を有する画像処理装置において、
前記画像読取手段の上方に位置し、原稿を画像処理装置内部に取込み、取込んだ原稿を前記画像読取手段に搬送する第１給紙手段と、
前記画像読取手段の下方に位置し、原稿を画像処理装置内部に取込み、取込んだ原稿を前記画像読取手段に搬送する第２給紙手段とを備え、
前記画像読取手段は、前記第１給紙手段又は前記第２給紙手段のいずれか一方を選択的に利用して原稿を受取り、受取った原稿の画像の読取りを行う画像処理装置。
【請求項２】
前記画像読取手段の下方に配置されていて記録用紙を取込む画像形成給紙手段と、
前記画像読取手段が読取った画像データに基づいて、前記画像形成給紙手段が取込んだ記録用紙に画像を形成する画像形成手段とを有する画像形成装置をさらに備え、
前記第２給紙手段として、前記画像形成給紙手段を用いて前記原稿を取込む請求項１記載の画像処理装置。
【請求項３】
前記第１給紙手段又は前記第２給紙手段のいずれか一方の選択を受け付ける選択手段をさらに備え、
前記画像読取手段は、前記選択手段により選択された給紙手段から取込まれた原稿を読取る請求項１記載の画像処理装置。
【請求項４】
画像読取手段の上方に位置する第１給紙手段と、前記画像読取手段の下方に位置する第２給紙手段とを有する画像処理装置が、
前記第１給紙手段又は前記第２給紙手段の選択を受付けるステップと、
前記第１給紙手段又は前記第２給紙手段のうち、選択された給紙手段を利用して、原稿を前記画像読取手段へ給紙するステップと、
前記画像読取手段が前記給紙された原稿を読取るステップとを備える画像読取方法。
【発明の詳細な説明】
【技術分野】
【０００１】
本発明は、画像読取装置を備えた画像処理装置に関し、特に、画像読取装置で読取るための原稿を給排紙する技術に関する。
【背景技術】
【０００２】
従来、複写機能、プリンタ機能、スキャナ機能及びファクシミリ機能等を有する画像処理装置において、原稿の読取りは、所定の読取ヘッドが読取りの対象となる原稿面をスキャンすることにより行われる。原稿をセットする方法としては、ユーザが手作業により原稿台に原稿をセットするか、若しくはＡＤＦ（自動原稿搬送装置）が、ＡＤＦ用の原稿の載置部にセットされた原稿を装置内部に取込んで、原稿台又は読取ヘッドでの読取位置まで搬送することにより行うものが知られている。
【発明の開示】
【発明が解決しようとする課題】
【０００３】
複写機能を有する画像処理装置の場合、画像処理装置は、原稿の画像を読取る画像読取装置（例えば、スキャナ）と、読取った画像を記録用紙に形成する画像形成装置（例えば、プリンタ）とを備える。そして、ユーザの利便性を考慮して、画像読取装置は、画像形成装置の上部に配置されることが多い。つまり、このような配置により、画像読取装置は、ユーザが立った状態で、操作をするのに丁度よい高さに位置することになり、ユーザが画像読取装置の原稿台に、原稿をセットする場合は便利である。また、ＡＤＦを利用する場合も同様に、ＡＤＦの原稿の載置部が、立った姿勢のユーザにとって丁度よい高さにあり、ユーザは、原稿を容易にセットすることができる。
【０００４】
しかしながら、上記のように配置された画像処理装置は、通常の大人を基準にして原稿台やＡＤＦの高さが定められているので、例えば、子供や車椅子に乗った人のような高い所に手が届かないユーザにとっては、高すぎて使いづらい。
【０００５】
そこで、本発明の目的は、画像読取装置を備えた画像処理装置を子供や車椅子に乗った人等のような高い所に手の届かないユーザにとっても使いやすくすることである。
【０００６】
さらに、子供や車椅子に乗った人等が、画像読取装置の原稿台又はＡＤＦの原稿の載置部に、自ら容易に原稿をセットできるようにすることを目的とする。
【課題を解決するための手段】
【０００７】
本発明の一つの態様に従う画像処理装置は、原稿の画像を読取る画像読取手段を有する画像処理装置において、前記画像読取手段の上方に位置し、原稿を画像処理装置内部に取込み、取込んだ原稿を前記画像読取手段に搬送する第１給紙手段と、前記画像読取手段の下方に位置し、原稿を画像処理装置内部に取込み、取込んだ原稿を前記画像読取手段に搬送する第２給紙手段とを備え、前記画像読取手段は、前記第１給紙手段又は前記第２給紙手段のいずれか一方を選択的に利用して原稿を受取り、受取った原稿の画像の読取りを行う。
【０００８】
好適な実施態様では、前記画像読取手段の下方に配置されていて記録用紙を取込む画像形成給紙手段と、前記画像読取手段が読取った画像データに基づいて、前記画像形成給紙手段が取込んだ記録用紙に画像を形成する画像形成手段とを有する画像形成装置をさらに備え、前記第２給紙手段として、前記画像形成給紙手段を用いて前記原稿を取込んでもよい。
【０００９】
好適な実施態様では、前記第１給紙手段又は前記第２給紙手段のいずれか一方の選択を受け付ける選択手段をさらに備え、前記画像読取手段は、前記選択手段により選択された給紙手段から取込まれた原稿を読取ってもよい。
【発明の効果】
【００１０】
本発明により、画像読取装置を備えた画像処理装置を子供や車椅子に乗った人等のような高い所に手の届かないユーザにとっても使いやすくすることができる。
【００１１】
さらに、子供や車椅子に乗った人等が、画像読取装置の原稿台又はＡＤＦの原稿の載置部に、自ら容易に原稿をセットできるようになる。
【発明を実施するための最良の形態】
【００１２】
図１は、本発明の一実施形態に係る画像処理装置の構成例の概略図である。
【００１３】
本実施形態に係る画像処理装置１０１は、画像読取装置１０２と、画像形成装置１０３と、統合制御部１０４と、装置間受渡し部１０５と、外部Ｉ／Ｆ１０６とを備える。
【００１４】
画像読取装置１０２は、画像処理装置１０１内部に取込まれた原稿の画像を読取って、その読取りによって得られた画像データ（以下、読取画像データ）を画像形成部１０３に送信する。また、画像形成装置１０３は、画像読取装置１０２から受信した読取画像データに基づく画像を、記録用紙に形成する。これらの装置の構成については、以下で詳しく説明する。
【００１５】
統合制御部１０４は、画像読取装置１０２及び画像形成装置１０３の各処理、例えば、原稿の給紙、原稿の読取り、原稿の排紙、画像読取装置１０２から画像形成装置１０３への読取画像データの送信、記録用紙の給紙、画像の形成、記録用紙の排紙、原稿及び記録用紙の搬送等を制御する。そして、統合制御部１０４の制御の下で、画像読取装置１０２が原稿の画像を読取り、画像形成装置１０３が読取画像データを記録用紙に形成することにより、複写処理が行われる。
【００１６】
装置間受渡し部１０５は、画像読取装置１０２と画像形成装置１０３間において、原稿の受渡しを行う。すなわち、画像形成装置１０３から受取った原稿を、画像読取装置１０２に渡し、また反対に、画像読取装置１０２から受取った原稿を、画像形成装置１０３に渡す。これにより、画像読取装置１０２は、画像読取装置１０２側で取込んだ原稿を読取るだけでなく、画像形成装置１０３側で取込んだ原稿を読取ることができるようになる。
【００１７】
装置間受渡し部１０５は、画像読取装置１０２及び画像形成装置１０３と合わせて、一体型として組み込まれる形で実現されてもよいし、画像読取装置１０２及び画像形成装置１０３とは別装置で、オプションとして取り外しが可能な形で実現されてもよい。
【００１８】
外部Ｉ／Ｆ１０６は、画像処理装置１０１が、外部のシステムと通信を行うためのインタフェースである。例えば、画像処理装置１０１は、外部Ｉ／Ｆ１０６を介して、ネットワーク１０７上にあるホスト装置１０８に接続することができる。これにより、ユーザは、ホスト装置１０８から画像処理装置１０１に対して制御命令を与えることで、ネットワーク経由で画像処理装置１０１を動作させることが可能となる。例えば、ユーザは、ホスト装置１０８から画像処理装置１０１へ画像形成用のデータを送って、画像形成装置１０３に、その画像形成用のデータに基づいた画像を形成させることができる。また、ユーザは、ホスト装置１０８から画像処理装置１０１に対し読取り指示を行って、画像読取装置１０２に原稿の読取りを行わせ、読取った画像データを、ホスト装置にて取得することができる。
【００１９】
図２は、本発明の一実施形態に係る画像処理装置内の原稿の搬送経路を模式的に図示したものである。
【００２０】
まず、図２を参照して、画像読取装置１０２及び画像形成装置１０３の構成を説明する。
【００２１】
画像読取装置１０２は、画像読取部２０１と、画像読取給紙部２０２と、画像読取排紙部２０３と、反転ローラ２１９とを備える。
【００２２】
画像読取部２０１は、画像読取給紙部２０２又は画像形成給紙部２１０（後述する）から搬送されてきた原稿の画像の読取りを行う。その読取画像データは、統合制御部１０４を介して、画像形成装置１０３の画像形成部２０４に送信される。
【００２３】
反転ローラ２１９は、原稿の反転を行うものであり、これにより、反転ローラ２１９まで搬送されてきた原稿は、その表裏及び搬送方向が反転され、同じ経路を逆向きに搬送されることになる。
【００２４】
画像読取部２０１の上方に位置する画像読取給紙部２０２は、画像読取装置１０２側に設けられた原稿の給紙部であり、例えばＡＤＦをいう。また、画像読取部２０１の上方に位置する画像読取排紙部２０３は、画像読取装置１０２側に設けられた原稿の排紙部である。画像読取給紙部２０２から取込まれて、画像読取部２０１によって読取られた原稿は、画像読取排紙部２０３により、画像処理装置１０１外部に排出される。
【００２５】
一方、画像形成装置１０３は、画像形成部２０４と、画像形成給紙部２１０（２１０ａ、２１０ｂ）と、画像形成排紙部２１１と、ユーザＩ／Ｆ２１２とを備える。
【００２６】
画像形成部２０４は、画像形成給紙部２１０から画像処理装置１０１内部に取込まれた記録用紙に、画像読取部２０１が読取った読取画像データに基づく画像を形成する。画像形成部２０４は、図示したように、例えば、現像装置２０５と感光体２０６と中間転写装置２０７と二次転写装置２０８とを備える。このような構成の場合、以下の処理が行われることにより、記録用紙上に画像が形成される。すなわち、現像装置２０５は、イエロー（Ｙ）、シアン（Ｃ）、マゼンタ（Ｍ）、ブラック（Ｋ）という異なる色のトナーをそれぞれ内蔵し、現像装置２０５が回転することで、選択された色のトナー画像が感光体２０６上に形成される。感光体２０６上に、それぞれの色毎に形成されたトナー画像は、中間転写装置２０７上に順次重ね合わせて転写され、転写されたフルカラーのトナー画像は、中間転写装置２０７から一括して記録用紙上に転写される。
【００２７】
画像読取部２０１の下方に位置する画像形成給紙部２１０は、画像処理装置１０１内部に、原稿又は記録用紙を取込むものであり、複数の記録用紙をまとめて載置できる、例えば、カセット式の給紙部２１０ａや、一枚ずつセットされた記録用紙を装置内部に取込む、例えば、MPトレイ式の給紙部２１０ｂ等をいう。画像形成給紙部２１０は、後述するように、画像読取装置１０２が読取りを行う原稿の給紙部としても利用される。
【００２８】
画像読取部２０１の下方に位置する画像形成排紙部２１１は、読取った原稿及び画像の形成がなされた記録用紙を、画像処理装置１０１外部に排出する。すなわち、原稿搬送経路２２１（２２１ａ、２２１ｂ、詳細は後述する）を通って、画像読取装置１０２から搬送されてきた原稿、及び画像形成部２０４から搬送されてきた記録用紙を画像処理装置１０１外部に排出する。
【００２９】
ユーザＩ／Ｆ２１２は、ユーザが、原稿及び記録用紙の給紙口の設定や、複写開始の命令の入力等を行うための手段を提供するものであり、例えば、液晶ディスプレイ、操作ボタンが考えられる。ここで、給紙口とは、原稿又は記録用紙の取込み口のことであり、給紙部毎に設けられた載置部、例えば、トレイやカセットと考えることができる。
【００３０】
ここで、図３を参照して、ユーザが、原稿及び記録用紙の給紙口を設定する方法について説明する。
【００３１】
図３は、原稿及び記録用紙の給紙口を設定する給紙口設定画面の具体例を示す図である。複写処理を行う場合、ユーザは、原稿及び記録用紙の給紙口を設定する必要があるが、このときに、例えば、図３に示されるような給紙口設定画面が利用される。給紙口設定画面は、例えば、ユーザＩ／Ｆ２１２に設けられた液晶ディスプレイに表示される。そして、ユーザは、この画面に表示された所定の給紙口を選択することで、画像読取装置１０２が読取りを行う原稿と、画像形成装置１０３が画像を形成する記録用紙との給紙口を設定することができる。この例では、同図（ａ）に示すように、原稿の給紙口として、ユーザが、画像読取装置１０２側に設けられたＡＤＦ用の原稿の載置部であるＡＤＦトレイ、画像形成装置１０３側に設けられたＭＰトレイ、又は画像形成装置１０３側に設けられたカセットのいずれか一つを選択できることになる。また、同図（ｂ）に示すように、記録用紙の給紙口として、ユーザが、ＭＰトレイ又はカセットのいずれか一つを選択できることになる。
【００３２】
以上の構成を踏まえた上で、図２に戻り、本実施形態に係る原稿の搬送経路について説明する。
【００３３】
本実施形態に係る画像処理装置１０１は、第１原稿搬送経路２２０と第２原稿搬送経路２２１とを有する。そして、画像処理装置１０１は、ユーザにより設定された給紙部に合わせて、これらの原稿の搬送経路を選択的に利用する。すなわち、原稿の給紙部として、画像読取給紙部２０２が設定された場合は、第１原稿搬送経路２２０が利用され、画像形成給紙部２１０が設定された場合は、第２原稿搬送経路２２１が利用されることになる。
【００３４】
第１原稿搬送経路２２０は、画像読取装置１０２側で取込んだ原稿を、読取りを行った後、画像読取装置１０２側で排出する場合の経路である。具体的には、第１原稿搬送経路２２０は、図面に記した各点のうち、Ａ点→Ｃ点→Ｄ点→Ｃ点→Ｂ点を順番に結んだものとなる。
【００３５】
第２原稿搬送経路２２１は、画像形成装置１０３側で取込んだ原稿を、装置間受渡し部１０５を介して画像読取装置１０２へ渡し、読取りを行った後、装置間受渡し部１０５を介して画像形成装置１０３へ返し、画像形成装置１０３側で排出する場合の経路である。具体的には、第２原稿搬送経路２２１ａは、図面に記した各点のうち、Ｊ点→Ｈ点→Ｇ点→Ｆ点→Ｃ点→Ｄ点→Ｃ点→Ｆ点→Ｅ点を順番に結んだものとなる。また、第２原稿搬送経路２２１ｂは、図面に記した各点のうち、Ｉ点→Ｈ点→Ｇ点→Ｆ点→Ｃ点→Ｄ点→Ｃ点→Ｆ点→Ｅ点を順番に結んだものとなる。
【００３６】
以下、原稿が、第２原稿搬送経路２２１に沿って搬送されるようすを、詳しく説明する。
【００３７】
まず、統合制御部１０４は、図３にて説明したように、ユーザＩ／Ｆ２１２から、ユーザが入力して設定した原稿の給紙口に従って、その設定された給紙口に対応する給紙部に、原稿の取込みを命令する。ここでは、原稿の給紙口として、ユーザが、画像形成給紙部２１０ｂを設定した場合を仮定して、説明をすすめる。
【００３８】
統合制御部１０４から、原稿の取込み命令を受けた画像形成給紙部２１０ｂは、その画像形成給紙部２１０ｂに載置された複数の原稿のうちの一枚を、画像処理装置１０１内部に取込む。画像形成給紙部２１０ｂから取込まれた原稿は、給紙ローラ２１３へ搬送される。給紙ローラ２１３は、搬送経路の分岐点となっており、原稿は、複写ローラ２１４又は両面ローラ２１５のいずれか一方へ向けて搬送されることになるが、ここでは、原稿は、両面ローラ２１５へ向けて搬送される。その後、原稿は、両面ローラ２１５を経由して、分岐ローラ２１６まで搬送される。分岐ローラ２１６も、給紙ローラ２１３同様に、搬送経路の分岐点になっている。両面ローラ２１５から搬送されてきた場合は、原稿は、定着装置２０９、排紙ローラ２１７、又は搬送ローラ２１８のいずれか一方へ向けて搬送されることになるが、ここでは、原稿は、搬送ローラ２１８へ向けて搬送される。
【００３９】
搬送ローラ２１８まで原稿が搬送されると、統合制御部１０４は、装置間受渡し部１０５に対して、画像読取装置１０２と画像形成装置１０３間の原稿の受渡しを行うことを命令する。原稿の受渡し命令を受けた装置間受渡し部１０５は、画像読取装置１０２へ原稿を渡す。
【００４０】
画像読取装置１０２が、装置間受渡し部１０５から受取った原稿は、画像読取部２０１へ搬送される。ここで、画像読取部２０１は、搬送されてきた原稿の画像を読取る。なお、ここで得られた読取画像データは、既に述べたように、画像形成部２０４へ送信されて、画像形成部２０４にて画像形成が行われる。その後、読取りが完了した原稿は、反転ローラ２１９を利用して、その表裏及び搬送方向が反転され、同じ経路を逆向きに搬送される。
【００４１】
すなわち、まず、表裏が反転された原稿は、画像読取部２０１へ搬送される。ここで、原稿の両面の画像を読取る場合は、再び原稿の画像の読取りが行われ、得られた裏面の読取画像データは、表面の場合と同様に、画像形成部２０４へ送信される。なお、表面と裏面の読取画像データを別々に画像形成部２０４へ送信しないで、表面の読取画像データを一端記憶しておいて、同時に表面と裏面の読取画像データを、画像形成部２０４へ送信することもできる。
【００４２】
次に、統合制御部１０４は、装置間受渡し部１０５に対して、画像読取装置１０２と画像形成装置１０３間の原稿の受渡しを行うことを命令する。画像読取装置１０２から原稿を受取り、原稿の受け渡し命令を受けた装置間受渡し部１０５は、画像形成装置１０３へ原稿を渡す。
【００４３】
画像形成装置１０３が、装置間受渡し部１０５から受取った原稿は、搬送ローラ２１８を経由して、分岐ローラ２１６まで搬送される。ここでは、分岐ローラ２１６まで搬送されてきた原稿は、排紙ローラ２１７へ向けて搬送され、統合制御部１０４は、画像形成排紙部２１１に排紙を命令する。原稿の排紙命令を受けた画像形成排紙部２１１は、搬送されてきた原稿を、画像処理装置１０１外部へ排出する。
【００４４】
図４は、本発明の一実施形態に係る画像処理装置内の記録用紙の搬送経路を模式的に図示したものである。すなわち、同図に示す画像読取装置１０２、画像形成装置１０３、装置間受渡し部１０４の構成は、図２に示したものと同一である。図４では、画像形成装置１０３において画像形成を行う場合の記録用紙の搬送経路を説明する。
【００４５】
記録用紙搬送経路４０１（４０１ａ、４０１ｂ）は、画像形成給紙部２１０で取込んだ記録用紙を、画像形成部２０４へ搬送して画像形成を行った後、画像形成排紙部２１１にて排出する経路である。具体的には、記録用紙搬送経路４０１ａは、図面に記した各点のうち、Ｊ点→Ｈ点→Ｋ点→Ｆ点→Ｅ点を順番に結んだものとなる。また、記録用紙搬送経路４０１ｂは、図面に記した各点のうち、Ｉ点→Ｈ点→Ｋ点→Ｆ点→Ｅ点を順番に結んだものとなる。もし、両面に画像形成を行う場合は、記録用紙を反転させて、再び画像形成部２０４を通過する。つまり、この場合の記録用紙搬送経路４０１ａは、Ｊ点→Ｈ点→Ｋ点→Ｆ点→Ｇ点→Ｋ点→Ｆ点→Ｅ点を順番に結んだものとなる。また、この場合の記録用紙搬送経路４０１ｂは、Ｉ点→Ｈ点→Ｋ点→Ｆ点→Ｇ点→Ｋ点→Ｆ点→Ｅ点を順番に結んだものとなる。
【００４６】
以下、記録用紙が、記録用紙搬送経路３０１に沿って搬送されるようすを、詳しく説明する。
【００４７】
まず、統合制御部１０４は、図３にて説明したように、ユーザＩ／Ｆ２１２から、ユーザが入力して設定した記録用紙の給紙口に従って、その設定された給紙口に対応する給紙部に、記録用紙の取込みを命令する。ここでは、記録用紙の給紙口として、ユーザが、画像形成給紙部２１０ａを設定した場合を仮定して、説明をすすめる。
【００４８】
統合制御部１０４から、記録用紙の取込み命令を受けた画像形成給紙部２１０ａは、その画像形成給紙部２１０ａに載置された複数の記録用紙のうちの一枚を、画像処理装置１０１内部に取込む。画像形成給紙部２１０ａから内部に取込まれた記録用紙は、給紙ローラ２１３へ搬送される。上述したように、給紙ローラ２１３は、搬送経路の分岐点となっており、記録用紙は、複写ローラ２１４又は両面ローラ２１５のいずれか一方へ向けて搬送されることになる。ここでは、記録用紙は、複写ローラ２１４へ向けて搬送される。
【００４９】
その後、記録用紙は、複写ローラ２１４を経由して、画像形成部２０４まで搬送される。ここで、画像形成部２０４は、画像読取部２０１が読取った読取画像データに基づいて、搬送されてきた記録用紙に画像を形成する。
【００５０】
その後、画像形成後の記録用紙は、定着装置２０９を経由して、分岐ローラ２１６まで搬送される。上述したように、分岐ローラ２１６も、搬送経路の分岐点になっており、定着装置２０９から搬送されてきた場合は、記録用紙は、両面ローラ２１５、排紙ローラ２１７、又は搬送ローラ２１８のいずれか一方へ向けて搬送されることになる。ここで、記録用紙の片面だけに画像を形成する場合は、記録用紙は、排紙ローラ２１７へ向けて搬送され、統合制御部１０４は、画像形成排紙部２１１に排紙を命令する。記録用紙の排紙命令を受けた画像形成排紙部２１１は、搬送されてきた記録用紙を、画像処理装置１０１外部へ排出する。
【００５１】
一方、記録用紙の両面に画像を形成する場合は、記録用紙は、両面ローラ２１５へ向けて搬送され、複写ローラ２１４を経由して、再び画像形成部２０４まで搬送される。ここで、画像形成部２０４は、画像読取部２０１が読取った裏面の読取画像データに基づいて、搬送されてきた記録用紙に画像を形成する。その後、画像形成後の記録用紙は、定着装置２０９を経由して、分岐ローラ２１６まで搬送され、ここでは、記録用紙は、排紙ローラ２１７へ向けて搬送され、統合制御部１０４は、画像形成排紙部２１１に排紙を命令する。記録用紙の排紙命令を受けた画像形成排紙部２１１は、搬送されてきた記録用紙を、画像処理装置１０１外部へ排出する。
【００５２】
以上、本実施形態に係る画像処理装置の構成と、原稿及び記録用紙の搬送経路とを説明した。このような構成により、画像形成装置に一般的に備えられる記録用紙の給紙部を、画像読取装置が読取る原稿の取込みにも利用できるようになる。また、画像形成装置に一般的に備えられる記録用紙の排紙部を、画像読取装置が読取る原稿の排出にも利用できるようになる。
【００５３】
これにより、子供や車椅子に乗った人等は、手の届かない高さに位置する画像読取装置の給紙部及び排紙部（以下、「給排紙部」）を利用することなく、手の届く高さに位置する画像形成装置の給排紙部を利用して、原稿の給排紙を行えるようになる。
【００５４】
なお、本実施形態では、子供や車椅子に乗った人等が、手の届く高さにある画像形成装置の給排紙部を、原稿及び記録用紙の給排紙手段として、共通に利用するものであったが、記録用紙の給排紙部とは別に、原稿専用の給排紙部を設けてもよい。すなわち、記録用紙の給排紙部とは別に、原稿専用の給排紙部を、背の低いユーザ等が容易に利用できる位置（高さだけではなく向きや配置も考慮すればなお好ましい）に設けることにより、更にユーザの利便性を向上させることができる。さらに、給紙部又は排紙部のどちらか一方だけを原稿専用として設け、もう一方は、記録用紙との共用にすることもできる。
【００５５】
さらに、このような原稿専用の給排紙部を設けた場合でも、図１に示した装置間受渡し部１０５を備え、原稿専用の搬送経路を備えることで、原稿専用の給紙部が取込んだ原稿を、画像読取部２０１が読取って、読取られた原稿は、原稿専用の排紙部に排出させることができる。
【００５６】
なお、本実施形態における各種ローラの配置を含めた搬送経路及び画像形成装置２０４の構成は、説明する上での具体的な例示にすぎない。したがって、各種ローラの個数や配置を自由に変更することは可能であり、それによって、画像形成装置１０３から画像読取装置１０２へ原稿を搬送するという範囲を超えないで、様々な道筋を持つ搬送経路で代用することもできる。
【００５７】
以下、本実施形態に係る画像処理装置による複写処理の流れを説明する。
【００５８】
図５は、本発明の一実施形態に係る画像処理装置による複写処理のフローチャートである。
【００５９】
まず、上述したような、ユーザＩ／Ｆ２１２に表示された給紙口設定画面を利用して、ユーザは、原稿及び記録用紙の給紙口を設定する（Ｓ５０１）。
【００６０】
次に、ユーザは、ユーザＩ／Ｆ２１２を介して、画像処理装置１０１に、複写開始の命令を入力する（Ｓ５０２）。
【００６１】
複写開始の命令を受けた画像処理装置１０１の統合制御部１０４は、設定された原稿の給紙口に対応する給紙部に、原稿の読込みを命令する。原稿の読込み命令を受けた給紙部は、その給紙部に載置された複数の原稿のうちの一枚を、画像処理装置１０１内部に取込む（Ｓ５０３）。
【００６２】
ここで、設定された原稿の給紙口が、画像読取装置１０２側にあるか、若しくは画像形成装置１０３側にあるかを判定する（Ｓ５０４）。そして、いずれが選択されたかによって、原稿の搬送経路は異なってくる。
【００６３】
すなわち、原稿の給紙口が、画像読取装置１０２側にある、例えば、ＡＤＦトレイの場合は（Ｓ５０４：ＹＥＳ）、統合制御部１０４は、第１原稿搬送経路２２０に沿って、画像読取給紙部２０２から画像読取部２０１へ、原稿を直接搬送する（Ｓ５０５）。次に、画像読取部２０１は、搬送されてきた原稿の画像を読取る（Ｓ５０６）。その後、統合制御部１０４は、読取られた原稿を、画像読取排紙部２０３へ搬送し、画像読取排紙部２０３に原稿の排紙を命令する。原稿の排紙命令を受けた画像読取排紙部２０３は、画像処理装置１０１外部へ原稿を排出する（Ｓ５０７）。
【００６４】
一方、原稿の給紙口が、画像形成装置１０３側にある、例えば、ＭＰトレイやカセットの場合は（Ｓ５０４：ＮＯ）、統合制御部１０４は、第２原稿搬送経路２２１に沿って、原稿を搬送する。すなわち、統合制御部１０４は、装置間受渡し部１０５を介して、画像形成給紙部２１０から画像読取部２０１へ、原稿を搬送する（Ｓ５０８）。次に、Ｓ５０６同様に、画像読取部２０１は、搬送されてきた原稿の画像を読取る（Ｓ５０９）。その後、統合制御部１０４は、読取られた原稿を、装置間受渡し部１０５を介して、画像読取部２０１から画像形成排紙部２１１へ搬送し、画像形成排紙部２１１に原稿の排紙を命令する。原稿の排紙命令を受けた画像形成排紙部２１１は、画像処理装置１０１外部へ原稿を排出する（Ｓ５１０）。
【００６５】
次に、統合制御部１０４は、設定された記録用紙の給紙口に対応する画像形成給紙部２１０に、記録用紙の読込みを命令する。記録用紙の読込み命令を受けた画像形成給紙部２１０は、その給紙部に載置された複数の記録用紙のうち一枚を、画像処理装置１０１内部に取込む（Ｓ５１１）。
【００６６】
画像形成給紙部２１０により取込まれた記録用紙は、統合制御部１０４により、記録用紙搬送経路４０１上を、画像形成部２０４まで搬送される（Ｓ５１２）。次に、画像形成部２０４は、搬送されてきた記録用紙に画像を形成する（Ｓ５１３）。
【００６７】
その後、統合制御部１０４は、画像形成された記録用紙を、画像形成排紙部２１１へ搬送し、画像形成排紙部２１１に原稿の排紙を命令する。原稿の排紙命令を受けた画像形成排紙部２１１は、画像処理装置１０１外部へ記録用紙を排出する（Ｓ５１４）。
【００６８】
以上、本発明の実施形態によれば、高い位置にある給紙口と低い位置にある給紙口のいずれかを、ユーザが自由に選択できる。これにより、子供や車椅子に乗った人等も楽に操作ができるようになる。
【００６９】
上述した本発明の実施形態は、本発明の説明のための例示であり、本発明の範囲をそれらの実施形態にのみ限定する趣旨ではない。本発明は、その要旨を逸脱することなく、その他の様々な態様でも実施することができる。
【図面の簡単な説明】
【００７０】
【図１】本発明の一実施形態に係る画像処理装置の構成例の概略図。
【図２】本発明の一実施形態に係る画像処理装置内の原稿の搬送経路の模式図。
【図３】原稿及び記録用紙の給紙口を設定する給紙口設定画面。
【図４】本発明の一実施形態に係る画像処理装置内の記録用紙の搬送経路の模式図。
【図５】本発明の一実施形態に係る画像処理装置による複写処理のフローチャート。
【符号の説明】
【００７１】
１０１…画像処理装置、１０２…画像読取装置、１０３…画像形成装置、１０４…統合制御部、１０５…装置間受渡し部、１０６…外部Ｉ／Ｆ、１０７…ネットワーク、１０８…ホスト装置、２０１…画像読取部、２０２…画像読取給紙部、２０３…画像読取排紙部、２０４…画像形成部、２０５…現像装置、２０６…感光体、２０７…中間転写装置、２０８…二次転写装置、２０９…定着装置、２１０…画像形成給紙部、２１１…画像形成排紙部、２１２…ユーザＩ／Ｆ、２１３…給紙ローラ、２１４…複写ローラ、２１５…両面ローラ、２１６…分岐ローラ、２１７…排紙ローラ、２１８…搬送ローラ、２１９…反転ローラ、２２０…第１原稿搬送経路、２２１…第２原稿搬送経路、４０１…記録用紙搬送経路
【図１】
2007336420.tif 000003
【図２】
2007336420.tif 000004
【図３】
2007336420.tif 000005
【図４】
2007336420.tif 000006
【図５】
2007336420.tif 000007